(57)【要約】【課題】照明の照射条件を設定及び記憶することで、初心者でも簡単に観察・検査が可能な拡大観察装置を提供すること。【解決手段】拡大観察装置は複数のＬＥＤに対する照射条件が複数記憶された記憶部１８と、該複数の照射条件に基づいて複数のＬＥＤを制御する制御部１４とを備え、各照射条件で撮像された複数の撮像画像はフレームメモリＦ１〜Ｆｍに逐次記憶される。そして、制御部１４の制御により、フレームメモリ１３に記憶された複数の撮像画像を記憶部１８に移し、所定の分割数にて表示するデータをビデオメモリ１６に記憶する。その後、ビデオメモリ１６に記憶されていた分割表示用のデータを、出力部１７を介して表示装置２０にて表示する。【選択図】図１
2008032645.tif 000002
【特許請求の範囲】
【請求項１】
所定の観察領域内の観察対象を撮像する撮像手段と、
複数の光出射手段が設けられ、前記観察領域に照明光を照射する照明手段と、
前記撮像手段によって撮像された撮像画像を記憶する画像記憶手段と、
前記画像記憶手段に記憶される撮像画像に基づいて前記観察対象を拡大表示可能な表示手段と、
を備えた拡大観察装置において、
前記複数の光出射手段に対する照射条件が複数記憶された条件記憶手段と、
前記照射条件に基づいて前記複数の光出射手段を制御する照射制御手段と、
を備え、
前記画像記憶手段には、前記複数の照射条件によりそれぞれ撮像された複数の撮像画像を記憶し、
前記表示手段は、前記画像記憶手段に記憶された複数の撮像画像を所定の分割数にて表示する、
ことを特徴とする拡大観察装置。
【請求項２】
請求項１に記載の拡大観察装置において、
前記照明手段は前記複数の光出射手段と異なる角度から前記観察領域を照射する複数の第２の光出射手段を有することを特徴とする拡大観察装置。
【請求項３】
請求項１又は２に記載の拡大観察装置において、
前記表示手段は、前記画像記憶手段に記憶された前記複数の撮像画像を前記分割数にて１画面で表示し、
前記分割数にて前記表示手段に表示された撮像画像のうちの１つを選択する拡大指定手段を備え、
前記拡大指定手段により指定された撮像画像を分割表示時よりも拡大表示する、
ことを特徴とする拡大観察装置。
【請求項４】
請求項１〜３の何れか一項に記載の拡大観察装置において、
前記複数の照射条件によりそれぞれ撮像された複数の撮像画像を前記表示手段で表示し、
前記表示手段により表示された撮像画像のうち、２つ以上の照射条件を選択・設定する照射条件設定手段を備え、
前記照射条件設定手段により設定された照射条件に基づき前記複数の光出射手段を制御して撮像する
ことを特徴とする拡大観察装置。
【請求項５】
請求項１〜４の何れか一項に記載の拡大観察装置において、
前記複数の照明手段は周方向に沿って配置され、
前記対象に対して異なる方向から光が照射される複数の照射条件を記憶することを特徴とする拡大観察装置。
【請求項６】
請求項１〜５の何れか一項に記載の拡大観察装置において、
前記光出射手段は光源であり、
前記照射条件は前記光源の輝度を変更することを含むことを特徴とする拡大観察装置。
【請求項７】
請求項１〜６の何れか一項に記載の拡大観察装置において、
前記光出射手段は光源であり、
前記照射条件は前記光源のオンオフを行うことを含むことを特徴とする拡大観察装置。
【請求項８】
請求項１〜７の何れか一項に記載の拡大観察装置において、
前記分割数で前記表示手段に表示される撮像画像のうち、１つ又は複数の撮像画像を選択する記憶画像選択手段と、
前記記憶画像選択手段により選択された撮像画像を保存する画像保存手段とを備えたことを特徴とする拡大観察装置。
【発明の詳細な説明】
【技術分野】
【０００１】
本発明は、拡大観察装置に関するものである。
【背景技術】
【０００２】
従来、ＩＣ基板上の配線接続確認などの観察作業時には、拡大観察装置が用いられる。
観察作業において、作業者は、拡大観察装置により撮影され表示装置としてのモニタに表示された観察対象としてのワークの全体形状より観察領域を特定し、所定の領域部分のみを観察・検査する。又、その際にワークの一部をモニタに拡大表示して詳細に観察する場合に、照明を当てることでワークに設置された素子に傷が生じていないか、基板のはんだ付け不良及び溶接割れなどがないかを目視する状況が生じるため、照明部を搭載した拡大観察装置が利用されている（例えば特許文献１参照）。
【０００３】
作業者が拡大観察装置を用いて観察を行う際に、その経験値の差により、ワークを照らす光の調整を行い異常個所の有無を確認するまでの手順と時間が大きく変わる。手馴れた作業者は己の感覚で拡大観察装置を操作し、異常個所を発見しやすい観察環境に即座に設定出来る。しかし、初心者の場合、観察環境を整えるだけで時間を有してしまう。
【０００４】
観察環境としては、照明手段による照射条件及びディスプレイなどの表示手段上での表示情報が挙げられる。照射条件には、照射光量、撮像手段の内部パラメータ（ホワイトバランス、ゲイン特性など）、などが含まれる。これら照射条件を考慮した上で、ディスプレイに表示した際にワークを詳しく確認できる状態に設定し、画面の拡大やコントラスト調整を行うため、初心者には扱いづらい。それ故に、一度記憶した観察環境を再設定し、それ以降設定を固定して撮像を行う拡大観察装置が利用されている（例えば特許文献２参照）。
【特許文献１】特開２００４−１５３４６２号公報
【特許文献２】特開２００４−２２０９８７号公報
【発明の開示】
【発明が解決しようとする課題】
【０００５】
ところで、この観察環境をティーチング出来る拡大観察装置において、観察環境を記憶手段に記憶し、過去の観察環境を設定して観察するだけでは、観察対象が同種のものであってもその対象物の状態（異常個所の異常の度合い（ワークに入った傷の深さなど））により、一度設定された観察環境自体が観察に適さない場合も生じる。
【０００６】
本発明は、上記課題を解決するためになされたものであって、その目的は、初心者でも簡単に観察・検査が可能な拡大観察装置を提供することにある。
【課題を解決するための手段】
【０００７】
上記課題を解決するために、請求項１に記載の発明は、所定の観察領域内の観察対象を撮像する撮像手段と、複数の光出射手段が設けられ、前記観察領域に照明光を照射する照明手段と、前記撮像手段によって撮像された撮像画像を記憶する画像記憶手段と、前記画像記憶手段に記憶される撮像画像に基づいて前記観察対象を拡大表示可能な表示手段と、備えた拡大観察装置において、前記複数の光出射手段に対する照射条件が複数記憶された条件記憶手段と、前記照射条件に基づいて前記複数の光出射手段を制御する照射制御手段と、を備え、前記画像記憶手段には、前記複数の照射条件によりそれぞれ撮像された複数の撮像画像を記憶し、前記表示手段は、前記画像記憶手段に記憶された複数の撮像画像を所定の分割数にて表示する。
【０００８】
この構成では、１つの観察対象に対して予め記憶された複数の照射条件により複数の撮像画像が得られる。従って、観察対象や観察箇所が変更された場合であっても、複数の照射条件の中には、それぞれの観察に適した照射条件が含まれ、複数の撮像画像には、異常個所が見やすい照射条件によって撮像された画像が含まれる。このため、初心者であっても照射条件を変更することなく、観察・検査することができる。
【０００９】
請求項２によれば、請求項１に記載の拡大観察装置において、前記照明手段は前記複数の光出射手段と異なる角度から前記観察領域を照射する複数の第２の光出射手段を有する構成をもつため、光量が不足した場合の光量追加が容易になる。また、第１の光出射手段と組み合わせることで照射条件を増やすことができるため、観察対象が適度に照らされ明るくなり、検査し易い撮像画像を得ることが出来る。
【００１０】
請求項３によれば、請求項１又は２に記載の拡大観察装置において、前記表示手段は、前記画像記憶手段に記憶された前記複数の撮像画像を前記分割数にて１画面で表示し、前記分割数にて前記表示手段に表示された撮像画像のうちの１つを選択する拡大指定手段を備え、前記拡大指定手段により指定された撮像画像を分割表示より拡大表示する。この構成により、画像記憶手段に記憶された撮像画像を選択し、画面を拡大することで細部まで見ることができ、観察対象の傷や剥がれなどの異常個所を局所的に、容易に観察・検査することができる。
【００１１】
請求項４によれば、請求項１〜３のいずれか一項に記載の拡大観察装置において、前記複数の照射条件によりそれぞれ撮像された複数の撮像画像を前記表示手段で表示し、前記表示手段により表示された撮像画像のうち、２つ以上の照射条件を選択・設定する照射条件設定手段を備え、前記照射条件設定手段により設定された照射条件に基づき前記複数の光出射手段を制御して撮像する。この構成により、ある程度観察対象を観察できる複数の照射条件を設定し、作業者が観察する複数の照射条件に対応する撮像画像数を抑えることができる。それ故に、観察対象物を見慣れていない初心者でも、的を絞って観察作業を行うことができる。
【００１２】
請求項５によれば、請求項１〜４のいずれか一項に記載の拡大観察装置において、前記複数の照明手段は周方向に沿って配置され、前記対象に対して異なる方向から光が照射される複数の照射条件を記憶する。これにより、所定角度からの照射及び照明としての明るさを個別に制御し、照射方向を制御することができる。
【００１３】
請求項６によれば、請求項１〜５の何れか一項に記載の拡大観察装置において、前記光出射手段は光源であり、前記照射条件は前記光源の輝度を変更することを含むため、光源の輝度調整を行い、照射方向を制御することができる。
【００１４】
請求項７によれば、請求項１〜６の何れか一項に記載の拡大観察装置において、前記光出射手段は光源であり、前記照射条件は前記光源のオンオフを行うことを含むことを特徴とするため、光源のオンオフ制御を行い、照射方向を制御することができる。
【００１５】
請求項８によれば、請求項３に記載の拡大観察装置において、前記分割数で前記表示手段に表示される撮像画像のうち、１つ又は複数の撮像画像を選択する記憶画像選択手段と、前記記憶画像選択手段により選択された撮像画像を保存する画像保存手段とを備えたため、後に作業者への作業説明を行う際などに撮像画像を閲覧することができる。
【発明の効果】
【００１６】
従って、上記記載の発明によれば、照明の照射条件を設定及び記憶することで、初心者でも簡単に観察・検査が可能な拡大観察装置を提供することができる。
【発明を実施するための最良の形態】
【００１７】
以下、本発明を具体化した一実施の形態を図１〜３に従って説明する。
図１は、本実施形態の拡大観察装置における電気的構成を示すブロック図である。
拡大観察装置は、観察対象としてのワークＷを撮像する撮像装置１０と、撮像装置１０に接続されワークＷの画像を表示する表示手段としての表示装置２０とを備えている。撮像装置１０には、光出射手段としての照明部１１、撮像手段としての撮像部１２、画像記憶手段としてのフレームメモリ１３、照射制御手段及び分割数変更手段としての制御部１４、拡大指定手段及び照射条件設定手段としての入力部１５ａ、ビデオメモリ１６、出力部１７が設けられている。又、制御部１４には条件記憶手段としての記憶部１８が設けられている。記憶部１８には、表示装置２０に画像データを表示するための表示情報、照明部１１を制御するための照射条件が少なくとも記憶されている。
【００１８】
表示情報には画面に対し何分割でワークを表示するかの判断計算方法、選択された画像に対し拡大表示を行うためのプログラムなどが記憶されている。照射条件には、照射光量、撮像手段の内部パラメータ（ホワイトバランス、ゲイン特性など）が含まれている。
【００１９】
照明部１１は、制御部１４により制御され、ワークＷに照明光を照射する。撮像部１２は例えば２００万画素の固体撮像素子とレンズ（いずれも図示略）から構成され、制御部１４の制御により、ワークＷを含む観察領域を、記憶部１８に記憶された照射条件に従い撮影する。
【００２０】
撮像部１２により撮像された画像データはフレームメモリ１３に出力される。フレームメモリ１３は複数設けられ、それぞれを区別するためにフレームメモリＦ１〜Ｆｍとする。各フレームメモリＦ１〜Ｆｍは、それぞれ撮像部１２から出力される１画面分の画像データを格納するために充分な容量に設定されている。固体撮像素子から出力された画像データは各フレームメモリＦ１〜Ｆｍに順次格納される。
【００２１】
制御部１４は、各フレームメモリＦ１〜Ｆｍに格納された画像データに対して、記憶部１８に記憶された表示情報に従って、拡大，縮小などの処理を行いビデオメモリ１６に格納する。ビデオメモリ１６は、表示装置２０に表示可能な画素（表示画素数であり、表示できる細かさ（表示分解能）に対応する）に応じた容量に設定されている。ビデオメモリ１６に格納された画像データは出力部１７によって読み出されて表示装置２０に出力される。従って、表示装置２０には、フレームメモリ１３の画像データが記憶部１８に格納された表示情報に従ってビデオメモリ１６及び出力部１７を介して入力され、画像が表示される。
【００２２】
表示情報は、制御部１４に設けられた記憶部１８に記憶されており、画像の表示領域の配置、大きさ、拡大縮小率、等を含む。制御部１４は、表示情報に従って、図２（ａ）のように表示装置２０に画像を表示する。本実施形態において、制御部１４は、表示装置２０に複数条件で撮像されたワークＷの各全体画像Ｄ１〜Ｄｎ（図においてｎ＝９）を並べて表示するように構成され、表示情報はそれらの画像表示のための情報である。つまり、制御部１４は、記憶部１８に格納された画像データを、表示装置２０の表示能力（表示画素数、表示分解能）に応じて画像処理してビデオメモリ１６に格納する。そのビデオメモリ１６に格納された画像データが表示装置２０に表示される。
【００２３】
また、制御部１４には、撮像装置１０に設けられた入力部１５ａ又は該撮像装置１０の外部に設けられた入力装置１５ｂが接続されている。作業者は、入力部１５ａ又は入力装置１５ｂを操作して、表示装置２０に表示する撮像画像の数選択、撮像画像の選択、拡大率等を指示し、図２（ｂ）に示すように観察する画面を表示させる。入力装置１５ｂとして、例えばマウスを用いる場合、マウスポインタ２１が表示される。これにより、入力部１５ａ又は入力装置１５ｂにより選択された撮像画像を拡大表示することが可能となるため、作業者は必要と思われる画像を選択して拡大表示することで、ワークＷを詳細に観察することができる。さらに、制御部１４は、入力部１５ａ又は入力装置１５ｂを介して入力する指示に従って表示情報を変更するとともに、指示に応じた撮像画像を表示装置２０に表示する。
【００２４】
図３に示すように、撮像部１２は、円筒状の撮像装置本体１２ａが、ワークＷをセットする検査台Ｔに対して所定角度（例えば検査台Ｔの上面と垂直）に図示しない支持部材によって支持されている。撮像装置本体の先端（図３において下端）には撮像レンズ１２ｂが装着され、撮像装置本体１２ａの基端（図３において上端）には電源供給や撮像された画像データを拡大観察装置本体へ送信するための信号ケーブル１２ｃが接続されている。撮像レンズ１２ｂの先端に螺旋状のねじ溝が形成され、このねじ溝により照明部１１が取着されている。照明部１１は、照射に必要な電源が例えば撮像装置本体１２ａから供給されている。尚、この照明部１１の電源は、接続端子などを用いて撮像部より外部線を用いて供給されても、照明部１１自体に埋め込まれていている場合も想定できる。
【００２５】
照明部１１は、本実施形態ではリング状に形成された照明であり、図４（ａ）に示すように、複数の照射光源としての発光ダイオード（ＬＥＤ）１１ａが同心円上に所定間隔で配置されている。各発光ダイオード１１ａは、図４（ｂ）に示すように、その配置は光源から照射される光が撮像部１２の撮像レンズ１２ｂの中心に向けて集まるよう斜角が付けられている。
【００２６】
本実施形態において、照明部１１には、図４（ａ）に示すように、１８個のＬＥＤ１１ａが同一円上に配置されている。そして、３個のＬＥＤ１１ａが同時に制御される制御群を構成している。つまり、１８個のＬＥＤ１１ａにより、６個の制御群３１ａ〜３１ｆが構成されている。言い換えれば、本実施形態の照明部１１には、円環状に６個の制御群３１ａ〜３１ｆが配列され、各制御群３１ａ〜３１ｆには、それぞれ３つのＬＥＤ１１ａが周方向に沿って配列されている。
【００２７】
照明部１１は、制御部１４により制御される。制御部１４の記憶部１８には、予め複数の照射条件が記憶されている。各照射条件は、各制御群３１ａ〜３１ｆに対する点灯・消灯と、出射光量（各ＬＥＤ１１ａの輝度であり、各ＬＥＤ１１ａに供給する電流量）を含む。例えば、１つの照射条件として、図４（ａ）において、右側に配置された制御群３１ａ〜３１ｃを点灯させるとともに、その輝度が設定されている。また、別の照射条件として、図４（ａ）において、周方向に沿って１つおきの制御群３１ａ，３１ｃ，３１ｅを点灯させるとともに、その輝度が設定されている。尚、輝度が異なる場合も別の照射条件とする。
【００２８】
上記構成を備えた拡大観察装置の制御部１４は、記憶部１８に記憶された所定の照射条件を用いて、撮像部１２を制御しワークＷを撮像する。照射条件は例えばＬＥＤ１１ａ全てを発光させた場合、ＬＥＤ１１ａのうち連続に並んだ特定配置の制御群３１ｂ〜３１ｄのみ最大レベルに対し中間レベルの輝度で発光する、等が挙げられる。この各照射条件を順次変更し、撮像部１２に撮像された画像はフレームメモリＦ１，Ｆ２，…，Ｆｍ（今回ｍ＝９として説明）に逐次保存される。所定数として９態様分の照射条件を用いて撮像画像を撮像した後に、制御部１４はビデオメモリ１６に表示用画像を記憶する。表示用画像には、撮像した９態様の画像を図２（ａ）に示すように、表示装置２０に一度に表示した画像が用いられる。ビデオメモリ１６に記憶された画像は出力部１７を介して表示装置２０に出力される。
【００２９】
表示装置ではまず図２（ａ）に示されるように、照射条件を変えて撮像した全ての撮像画像を並べて表示している。これにより、記憶部１８に記憶された撮像画像を一目で見渡すことができ、どの照射条件で撮像された観察対象が観察・検査に利用できるのかを大局的に選択する際に、作業者を補佐することができる。
【００３０】
作業者の選択に応じ、制御部１４はマウスなどの入力装置１５ｂにマウスポインタ２１で指示され選択された撮像画像を表示装置２０に拡大して表示する。この拡大表示を見ることで、初心者でも撮像条件を最適な観察・検査条件とすることができる。
【００３１】
初心者でも取り扱いの可能な拡大観察装置であることから、記憶部１８に記憶される表示条件は表示装置２０に表示できるワークの大きさに合わせ決定される。制御部１４の制御に基づき、ワークＷの大きさに応じて表示装置２０における画面分割の分割数が変更される構成により、ワークＷが撮像画像に対し大きい場合には分割数を多く、ワークＷが撮像画像に対し小さい場合には分割数を少なくしてその分画像を大きく表示される。従って、初心者であっても観察・検査しやすい表示状態を用意することができる。すなわち、観察対象が小さければディスプレイ画面一面にワークが９枚表示され、逆に大きければ１２枚表示されるなど、制御部１４が表示条件を制御する。以上説明したように、多くの態様から好みの表示環境の設定を観察作業初心者でも行うことができる。
【００３２】
また、このように複数の照射条件で撮像された撮像画像を１画面に複数表示する拡大観察装置を用いて、照射条件のティーチングを行うこともできる。照射条件の態様が多くとも、その条件のなかには明らかに観察に適さない輝度で光出射を照射条件としている場合がある。輝度が高すぎるため画面全体が白くなっているもの、輝度が低すぎるため画面全体が暗くなっているもの、及び画面として見にくいものが例として挙げられる。このように、観察に適さない照射条件を毎回表示装置２０に表示し、観察を行うことは作業者の負担を増やすこととなる。そこで、入力装置１５ｂなどを用いて実用的な照射条件を複数選択する。例えば、図２（ａ）に示す画像Ｄ４，Ｄ５，Ｄ７を複数選択することで、それら選択された画像Ｄ４，Ｄ５，Ｄ７を撮像した時における複数の照射条件を記憶部１８に記憶する。制御部１４は、画像Ｄ４，Ｄ５，Ｄ７の照射条件に基づき撮像するため、作業者が多くの照射条件に目を通す必要が無くなる。これにより観察作業の負担軽減を図ることができる。
【００３３】
次に、本実施の形態の特徴的な作用効果を記載する。
（１）拡大観察装置は複数のＬＥＤ１１ａに対する照射条件が複数記憶された記憶部１８と、該複数の照射条件に基づいて複数のＬＥＤ１１ａを制御する制御部１４とを備え、各照射条件で撮像された複数の撮像画像はフレームメモリＦ１〜Ｆｍに逐次記憶される。そして、制御部１４の制御により、フレームメモリ１３に記憶された複数の撮像画像を記憶部１８に移し、所定の分割数にて表示するデータをビデオメモリ１６に記憶する。その後、ビデオメモリ１６に記憶されていた分割表示用のデータを、出力部１７を介して表示装置２０にて表示する。
【００３４】
予め記憶部１８に記憶された複数の照射条件により、複数の撮像画像を得ることが出来る。また、得られた複数の撮像画像を表示装置２０上で一度に、若しくは個数を決めて表示することにより設定の手間を簡略化し、初心者でも該複数の撮像画像を比較し観察・検査を行うことが出来る。
【００３５】
（２）制御部１４は、記憶部１８に記憶された複数の撮像画像を、表示装置２０を分割して複数撮像画像を並べ、１画面で表示する。そして、入力部１５ａなどより指定された１つの撮像画像を分割表示時よりも拡大して表示する。この構成により、記憶部１８に記憶された撮像画像を選択し、画面を拡大することで細部まで見ることができ、観察対象の傷や剥がれなどの異常個所を局所的に、容易に観察・検査することができる。
【００３６】
尚、本発明の実施の形態は、以下のように変更してもよい。
・上記実施の形態では、信号ケーブル１２ｃを用いた有線構造を想定したが、無線信号によるデータの送受信を行うものを用いても良い。
【００３７】
・照明部１１及び撮像部１２の嵌め合わせ方は、スクリュー螺子のように螺旋状溝を有し螺子を締めるように嵌合されていても、継手により接続されていても、装着できる方法であればよい。
【００３８】
・照射条件の多彩さに伴い撮像画像が多く、又表示装置の１画面に収まりきらない枚数である場合、一画面を分割表示した撮像画像を一枚の頁として、この頁をめくる様に異なる撮像条件を少なくとも１つ選択することができる。撮像したワークＷの大きさに対応した一画面での表示枚数にあわせて各頁の分割数は決定される。また、選択された撮像条件に対応する照射条件における拡大画像も撮像された順に切替える事ができる。比較対象として複数照射条件を選択したい場合は、分割表示の際に頁をめくるときに、比較対象として選択された選択画像を（選択が外れるまで）含めて分割表示することもできる。
【００３９】
・ワークＷを観察・検査できる照射条件を、記憶部１８に記憶された照射条件から得られない場合、新たに制御部１４は照射条件を記憶部１８に追加し、今までに無い観察対象であっても観察・検査することができる。
【００４０】
・本実施形態において、実際に拡大観察装置の照明部１１と撮像部１２とを組み合わせて用いる場合に、ＬＥＤ１１ａが一列だけでは、一定方向からの光源を設定した場合に全体を明るくするための光量が不足する事態も考えられる。例えば並列接続された隣り合うＬＥＤ１１ａのうち、３個のみ発光している場合、手元が暗ければ表示装置２０に表示される撮像画像は全て暗いものとなってしまう。そこで、図５（ａ）（ｂ）のように、純粋に照明を加えるためだけに検査台Ｔ上面に向けて定着されたＬＥＤ５１ｂを１８個外周円に加える。照明部５１を異なる角度からワークＷを照射する複数の第２のＬＥＤ５１ｂを有する構成とすると、光量が不足した場合の光量追加が容易になる。また、全体への光量と、部分的一定方向からの光量とを分けてワークＷを照らすことができ、異常個所を観察・検査しやすくする。さらに、第１のＬＥＤ５１ａと組み合わせることで照射条件の様態を増やすことができるため、観察対象に応じた照射条件を得ることが出来る。
【００４１】
また、第１のＬＥＤ５１ａと第２のＬＥＤ５１ｂの位置は、図５（ｂ）に破線で描かれたＬＥＤ５１ｃのように入れ替えてもよい。光をワークＷの所定箇所に当てる時にあたる光の位置及び角度は観察対象を照射することができればよい。
【００４２】
・発光ダイオードは、全体を照らす光源を確保するため、そして一定方向からの光源を確保するためと２種類の角度をＬＥＤ５１ａ，５１ｂ定着時に定めているが、この角度、並びに位置は２種類の光源を確保できるものであればよい。ＬＥＤの照射角度は適宜変更してもよく、例えば、ＬＥＤ５１ａと図５（ｂ）において破線で描かれているＬＥＤ５１ｃとの組み合わせが挙げられる。
【００４３】
更に、光源の配置について、図５（ａ）では周に沿って２重に光源を配置しているが、これ以上に重ねる（ＬＥＤ５１ａ〜５１ｃの３重光源）こともできる。
・本実施形態において光出射手段として、発光ダイオードを直接光源として複数個、周に沿って並べている。しかし、光源を１つにし、その光源から周に沿って配置された光ファイバなどを経由して、間接的に観察対象に当てられる光であってもよい。なお、その場合における各出射光は、光源に近い位置でライトガイドなどにより光がそのファイバを介さないように構成することで輝度をオンオフ又はその間の出射レベルで制御される。また、出射光がファイバから出て行く出力箇所に反射板を設置することで、結束されたファイバのブロックごとに出射条件を変更させる構成としてもよい。
【００４４】
・本実施形態において、記憶画像選択手段としての入力装置１５ｂなどより指定された１つ又は複数の撮像画像を例えばファイルとして図示しない記憶部に保存するようにしてもよい。画像保存手段としての記憶部は、１つ又は複数の照射条件により撮像された複数の撮像画像を保存し、選択されなかった画像は記憶部には記憶されずに消去（クリア）される。このように、作業者が指定した撮像画像は、再度制御部１４の制御により、表示装置２０に表示することができる。これにより、作業初心者に照射条件を変えた場合はどのように撮像画像が観察できるのかを視覚的に伝えることができ、作業教育に用いることもできる。
【図面の簡単な説明】
【００４５】
【図１】一実施形態の拡大観察装置の電気的構成を示すブロック図。
【図２】（ａ）（ｂ）は表示装置の画面表示例の説明図。
【図３】撮像部の側面図。
【図４】（ａ）（ｂ）は照明装置の説明図。
【図５】（ａ）（ｂ）は別の照明装置の説明図。
【符号の説明】
【００４６】
１１，５１…照明部、１１ａ，１１ｂ，５１ａ，５１ｂ，５１ｃ…発光ダイオード（ＬＥＤ）、１２…撮像部、１３，Ｆ１，Ｆｍ…フレームメモリ、１４…制御部、１５ａ…入力部、１５ｂ…入力装置、１６…ビデオメモリ、１８…記憶部、２０…表示装置、Ｗ…ワーク。
【図１】
2008032645.tif 000003
【図２】
2008032645.tif 000004
【図３】
2008032645.tif 000005
【図４】
2008032645.tif 000006
【図５】
2008032645.tif 000007